(57)【特許請求の範囲】
【請求項１】
濾過用袋体と、上下が開口するように前後両面の左右両側が相互に連結された状態で前記濾過用袋体が内部に固定される折畳み可能な支持用紙体とからなるドリッパーにおいて、
該支持用紙体は、左右両側縁を逆ハの字状になす左右一対の折曲部と、
該折曲部を介して２つ折りとなるように左右両側の下部にそれぞれ形成され、展開用の山折り線が設けられた左右一対の保形用突片とを備え、
前記保形用突片は、押込部と、該押込部の左右両側にそれぞれ連設された一対の外側当接片とを備え、
前記山折り線は、前記押込部と該外側当接片との境界線上に設けられ、前記折曲部と交差する保形用突片の基端部中央からそれぞれ斜め下に向かって延在する一対の山折り線からなることを特徴とする、ドリッパー。
【請求項２】
前記支持用紙体は、前後両面の下部中央に形成された差込片をさらに備えることを特徴とする、請求項１に記載のドリッパー。
【発明の詳細な説明】
【技術分野】
【０００１】
本発明は、飲料を抽出するためにカップ等の容器に載置されるドリッパーに関する。
【背景技術】
【０００２】
従来から、コーヒー等の飲料を簡便に抽出するものとして、濾過用の袋体を厚手の紙体に固定して支持する使い捨てのドリッパーが利用されている。例えば、特許文献１では、展開した矩形状支持体の蓋部を除去してから濾過袋を開封し、矩形状支持体の左右両側の一定領域を折り曲げて支持脚片とした状態でカップ等の容器に載置するコーヒー用の濾過器が開示されている。また、特許文献２では、ドリッパーの前後両面の上縁中央をそれぞれ指で掴んで外側に引っ張って袋体を開封し、筒状紙体の左右両側にある折込部を内方に折り込んで筒状紙体を変形させることで、袋体を開口状態にすることができるドリッパーが開示されている。
【先行技術文献】
【特許文献】
【０００３】
【特許文献１】特公昭６３−５２８８８号公報
【特許文献２】特開２００８−２４５８９４号公報
【発明の概要】
【発明が解決しようとする課題】
【０００４】
しかしながら、上記特許文献１の濾過器では、容器に載置する前に、支持体の展開、蓋部の除去、濾過袋の開封、支持脚の形成という複数の手順を経ることが必要なため、組立てが簡便でないという問題がある。一方、上記特許文献２のドリッパーでは、簡易に組み立てることが実現されているものの、筒状紙体の変形が小さく前後方向へ大きく膨出することがないため、袋体が十分に開口せず、熱湯の注ぎ入れが困難であるという問題がある。また、上記特許文献２のドリッパーを容器へ載置するには、係合フラップを容器の上縁部分に沿わせることになるが、上記特許文献２に開示された構成では、その位置を容器のサイズに対応させて変更することができないため、容器のサイズによっては、係合フラップを上縁部分に沿わせることができず、載置状態時にドリッパーが容器の上で動いてしまうという問題がある。
【０００５】
そこで、本発明は、熱湯の注ぎ入れに十分な開口を形成するとともに、容器の大きさが異なっても、載置状態時における安定性を確保することができる組立て容易なドリッパーを提供することを課題とする。
【課題を解決するための手段】
【０００６】
かかる課題を解決するための手段として、本発明は、濾過用袋体と、上下が開口するように前後両面の左右両側が相互に連結された状態で前記濾過用袋体が内部に固定される折畳み可能な支持用紙体とからなるドリッパーにおいて、該支持用紙体は、左右両側縁を逆ハの字状になす左右一対の折曲部と、該折曲部を介して２つ折りとなるように左右両側の下部にそれぞれ形成され、展開用の山折り線が設けられた左右一対の保形用突片とを備え、前記保形用突片は、押込部と、該押込部の左右両側にそれぞれ連設された一対の外側当接片とを備え、前記山折り線は、前記押込部と該外側当接片との境界線上に設けられ、前記折曲部と交差する保形用突片の基端部中央からそれぞれ斜め下に向かって延在する一対の山折り線からなる。
【０００７】
前記支持用紙体は、前後両面の下部中央に形成された差込片をさらに備えるのが好ましい。
【発明の効果】
【００１０】
本発明によれば、使用の際の組立てが容易なだけでなく、上部領域が大きく変形して濾過用袋体を十分に開口させ、熱湯の注ぎ入れを容易にすることができる。
【図面の簡単な説明】
【００１１】
【図１】（ａ）は、本発明の第１実施形態に係るドリッパーの正面図であり、（ｂ）は、その背面図である。
【図２】図１のドリッパーを構成する濾過用袋体の展開図である。
【図３】図１のドリッパーを構成する濾過用袋体の正面図である。
【図４】図３に示す濾過用袋体のＩＶ−ＩＶ線断面図である。
【図５】図１のドリッパーを構成する支持用紙体の展開図である。
【図６】図１のドリッパーを容器に載置した状態の斜視図である。
【図７】（ａ）は、本発明の第２実施形態に係るドリッパーの正面図であり、（ｂ）は、その背面図である。
【図８】図７のドリッパーを構成する支持用紙体の展開図である。
【図９】図７のドリッパーを容器に載置した状態の斜視図である。
【発明を実施するための形態】
【００１２】
以下、本発明に係るドリッパーについて、添付の図面を参照しながら説明することとする。
【００１３】
図１は、本発明の第１実施形態に係るドリッパー１を示している。ドリッパー１は、図１に示すように、濾過用袋体２と、支持用紙体３とからなり、図６に示すように、カップ１７等の容器に載置されるものである。
【００１４】
図２〜図４は、本実施形態に使用される濾過用袋体２を示している。濾過用袋体２は、図１に示すように、支持用紙体３の内側に差し込まれた状態で支持用紙体３に固定され、コーヒー粉末等の内容物を収納及び封入するとともに、飲料を抽出・濾過するものである。濾過用袋体２に使用される素材としては、濾過機能を果たすものであれば特に限定されるものではないが、加工のしやすさ等を考慮すれば、熱接着性のあるものが好ましく、例えば、最内層に変性ポリプロピレンを含有した三層構造の濾紙が挙げられる。濾過用袋体２は、例えば、図２に示すように、長辺中央が突出した一対の台形状領域４，４’と、該一対の台形状領域４，４’を短辺側で連結する横長な六角形状領域５とに区画された形状で断裁、打ち抜き等される。
【００１５】
濾過用袋体２は、左右シール部６ａ，６ｂと、封止シール部７と、一対の固定用突片８，８’とを有する。左右シール部６ａ，６ｂは、六角形状領域５をＷ折り（ガゼット折り）にすることで対向した一対の台形状領域４，４’の左右両端の内面同士を接着して構成されたものであり、濾過用袋体２を袋状に構成する。封止シール部７は、弧状をなす上縁の下側で一対の台形状領域４，４’の内面同士を接着して構成されたものであり、内容物を濾過用袋体２の内部に封入する。一対の固定用突片８，８’は、濾過用袋体２の前後両面の上縁中央より突出する。一対の固定用突片８，８’は、後述の支持用紙体３の前後両面の上縁中央にそれぞれ当接させてから折り返され、前後両面の外面側に貼着される。
【００１６】
図５は、本実施形態に使用される支持用紙体３の展開状態を示している。支持用紙体３は、図６に示すように、容器に載置された時、濾過用袋体２を支持する。支持用紙体３に使用される素材としては、容器に載置された状態で濾過用袋体２を支持するのに十分な剛性を有するものであれば特に限定されるものではないが、熱湯や湯気に対する耐性を考慮すれば、濾過用袋体２と当接する内面又は両面にポリエチレン等の樹脂を塗布した厚紙が使用されるのが好ましい。支持用紙体３に使用される厚紙は、図５に示すように、円弧状の前面領域９と、前面領域９の一方の側端に連結され、後面右側を除く領域を形成する円弧状の後面主領域１０ａと、前面領域９の他方の側端に連結され、後面右側領域を形成する貼合せ領域１０ｂとに区画された形状で断裁、打ち抜き等される。前記厚紙は、後面主領域１０ａの上に貼合せ領域１０ｂを重ね合わせて接着され、支持用紙体３を構成する。
【００１７】
支持用紙体３は、左右一対の折曲部１１ａ，１１ｂと、左右一対の保形用突片１２ａ，１２ｂと、差込片１３，１３’と、左右一対の外側突片１４ａ及び１４ｂ，１４ａ及び１４ｂ’と、確認用窓部１５，１５’とを備える。
【００１８】
左右一対の折曲部１１ａ，１１ｂは、前記厚紙の前面領域９と後面主領域１０ａの境界を折曲する山折り線と、前面領域９と貼合せ領域１０ｂの境界を折曲する山折り線とからなり、使用前において、ドリッパー１を平坦状に構成する。一対の折曲部１１ａ，１１ｂは、支持用紙体３の左右両側縁を逆ハの字状になす。
【００１９】
左右一対の保形用突片１２ａ，１２ｂは、それぞれ略半円状に構成され、支持用紙体３の左右両側の下部に形成される。左右一対の保形用突片１２ａ，１２ｂは、ドリッパー１の使用前においては、折曲部１１ａ，１１ｂを介して２つ折りにされた状態で折り畳まれている。保持用突片１２ａ，１２ｂの基端部には、山折り線１６ａ，１６ｂが設けられる。
【００２０】
差込片１３，１３’は、横向きの略Ｄ字形状をなし、前後両面の下部中央にそれぞれ形成される。左右一対の外側突片１４ａ及び１４ｂ，１４ａ及び１４ｂ’は、略三角形状に構成され、保形用突片１２ａ，１２ｂにそれぞれ隣接し、保形用突片１２ａ，１２ｂの周縁に沿って湾曲しながら下方に延在する。左右一対の外側突片１４ａ及び１４ｂ，１４ａ及び１４ｂ’は、差込片１３，１３’から左右にそれぞれ間隔をあけて形成される。
【００２１】
確認用窓部１５，１５’は、横向きの略Ｄ字形状をなし、支持用紙体３の前後両面の中央に形成される。
【００２２】
次に、本実施形態に係るドリッパー１の使用方法とその作用について説明することとする。
【００２３】
まず、ドリッパー１の前後両面の上縁中央をそれぞれ指で掴んで外側に引っ張り、封止シール部７を剥離して、濾過用袋体２を開封する。次に、山折り線１６ａ，１６ｂを介して保形用突片１２ａ，１２ｂを内側に折り曲げて展開する。
【００２４】
保形用突片１２ａ，１２ｂの展開に伴って、支持用紙体３の前後両面が外方に湾曲し、支持用紙体３が上方に向かうに従って拡開するような漏斗状に変形した状態を維持する。これに伴い、濾過用袋体２の上側部分も大きく開口した状態となり、ドリッパー１の組立てが完了する。このように、使用者は比較的簡易な手順でドリッパー１の組立作業を完了することが可能である。
【００２５】
上述の組立てが完了すると、次に、外側突片１４ａ及び１４ｂ，１４ａ及び１４ｂ’がカップ１７の外側に位置するようにしながら、差込片１３，１３’をカップの内側に差し込んで、ドリッパー１をカップ１７に載置する。この時、開口部のサイズが小さめのカップ１７に対しては、差込片１３，１３’がカップ１７上部の内周面に当接して、カップ１７上でドリッパー１が移動することを禁止する。これに対して、開口部のサイズが大きめのカップ１７に対しては、外側突片１４ａ及び１４ｂ，１４ａ及び１４ｂ’がカップ１７上部の外周面に当接するか、その付近に位置して、カップ１７上でドリッパー１が移動することを禁止するか、カップ１７に対するドリッパー１の移動を最小限に抑制する。本実施形態に係るドリッパー１によれば、カップ１７のサイズの大小にかかわらず、カップ１７に対するドリッパー１の載置姿勢を安定させることができる。その結果、使用者が濾過用袋体２にお湯を注いでいる間、ドリッパー１がカップ１７上で倒れたり、カップ１７から落下したりする危険性がなく、抽出中のお湯が濾過用袋体２からこぼれて使用者に火傷を負わせる事故を招来するようなことがない。
【００２６】
カップ１７への載置が完了すれば、開口した濾過用袋体２へ所望量の熱湯を注ぎ、抽出液をカップ１７内へ流下させることで適量のコーヒーを生成する。この時、確認用窓部１５，１５’は、濾過用袋体２に注ぎ入れた湯量を確認するために使用される。熱湯の注ぎ入れに際しては、濾過用袋体２は大きく開口しているため、熱湯を容易に注ぎ入れることが可能である。
【００２７】
図７は、本発明の第２実施形態に係るドリッパー１を示している。本実施形態に係るドリッパー１は、支持用紙体３の左右両側の下部にそれぞれ形成された一対の保形用突片１２ａ，１２ｂの構成が異なる点を除き、上記第１実施形態と同様であるため、同一部分については同一の参照符号を付して説明を省略することとする。
【００２８】
本実施形態では、図８に示すように、左右一対の保形用突片１２ａ，１２ｂは、矩形状に構成され、上記第１実施形態と同様、ドリッパー１の使用前においては、図７に示すように、折曲部１１ａ，１１ｂを介して２つ折りにされた状態で折り畳まれている。各保形用突片１２ａ，１２ｂは、二等辺三角形状の押込部１８ａ，１８ｂと、この押込部１８ａ，１８ｂの左右両側に連設されて直角三角形状に構成された一対の外側当接片１９ａ及び１９ａ’，１９ｂ及び１９ｂ’と、押込部１８ａ，１８ｂと各外側当接片１９ａ及び１９ａ’，１９ｂ及び１９ｂ’との境界線上に設けられた一対の展開用の山折り線２０ａ及び２０ａ’，２０ｂ及び２０ｂ’とからなる。一対の山折り線２０ａ及び２０ａ’，２０ｂ及び２０ｂ’は、折曲部１１ａ，１１ｂと交差する保形用突片１２ａ，１２ｂの基端部中央から先端部の左右両端近傍までそれぞれ斜め下に向かって延在している。
【００２９】
本実施形態に係るドリッパー１を使用する場合、山折り線２０ａ及び２０ａ’，２０ｂ及び２０ｂ’を介して押込部１８ａ，１８ｂを内側に押し込むと、保形用突片１２ａ，１２ｂが展開して支持用紙体３の変形状態を維持し、カップ１７上にドリッパー１を載置することが可能となる。本実形態に係るドリッパー１を開口部のサイズが大きめのカップに載置した場合、保形用突片１２ａ，１２ｂの一対の外側当接片１９ａ及び１９ａ’，１９ｂ及び１９ｂ’は、カップ１７上部の外周面に当接するか、その付近に位置する。その結果、外側当接片１９ａ及び１９ａ’，１９ｂ及び１９ｂ’は、カップ１７上でドリッパー１が移動することを禁止するか、カップ１７に対するドリッパー１の移動を最小限に抑制して、カップ１７に対するドリッパー１の載置姿勢を安定させ、上記第１実施形態の外側突片１４ａ及び１４ｂ，１４ａ及び１４ｂ’と同様の機能を発揮する。
【００３０】
このように、本実施形態では、保形用突片１２ａ，１２ｂは、支持用紙体３の変形を維持するだけでなく、開口部のサイズが大きめのカップを使用した場合の安全性を確保する。この点において、本実施形態の保形用突片１２ａ，１２ｂは、上記第１実施形態の保形用突片１２ａ，１２ｂと機能が異なっている。
【００３１】
本実施形態に係るドリッパー１の使用方法とその作用については、上記の点を除いて、第１実施形態と同様であるため、その他の説明については説明を省略することとする。
【符号の説明】
【００３２】
１  ドリッパー
２  濾過用袋体
３  支持用紙体
４，４’  台形状領域
５  六角形状領域
６ａ，６ｂ  左右シール部
７  封止シール部
８，８’  固定用突片
９  前面領域
１０ａ  後面主領域
１０ｂ  貼合せ領域
１１ａ，１１ｂ  折曲部
１２ａ，１２ｂ  保形用突片
１３，１３’  差込片
１４ａ，１４ａ’，１４ｂ，１４ｂ’  外側突片
１５，１５’  確認用窓部
１６ａ，１６ｂ  山折り線
１７  カップ
１８ａ，１８ｂ  押込部
１９ａ，１９ａ’，１９ｂ，１９ｂ’  外側当接片
２０ａ，２０ａ’，２０ｂ，２０ｂ’  山折り線
【図１】
0005970997.tif 000002
【図２】
0005970997.tif 000003
【図３】
0005970997.tif 000004
【図４】
0005970997.tif 000005
【図５】
0005970997.tif 000006
【図６】
0005970997.tif 000007
【図７】
0005970997.tif 000008
【図８】
0005970997.tif 000009
【図９】
0005970997.tif 000010